【手続補正書】
【提出日】平成17年11月28日(2005.11.28)
【手続補正１】
【補正対象書類名】明細書
【補正対象項目名】発明の名称
【補正方法】変更
【補正の内容】
【発明の名称】情報検索装置及び方法並びに制御プログラム
【手続補正２】
【補正対象書類名】明細書
【補正対象項目名】特許請求の範囲
【補正方法】変更
【補正の内容】
【特許請求の範囲】
【請求項１】  文書データから抽出された単語を前記文書データと対応付けて登録した索引情報を参照して、要求された検索条件に対応する文書データを検索する情報検索装置であって、
前記文書データから未知単語を抽出する未知単語抽出手段と、
前記文書データの種別を判別する文書データ種別判別手段と、
前記文書データ種別判別手段により判別された文書データの種別に応じて、前記未知単語抽出手段により抽出された未知単語の前記索引情報としての登録の可否を決定する登録可否決定手段とを備えることを特徴とする情報検索装置。
【請求項２】 前記文書データ種別判別手段は、前記文書データが文字認識処理により得られた文字コードを含んだ文字認識処理済み文書データであるか否かを判別し、前記登録可否決定手段は、前記文書データが前記文字認識処理済み文書データである場合は、該文書データから前記未知単語抽出手段により抽出された未知単語の前記索引情報としての登録を禁止することを特徴とする請求項１記載の情報検索装置。
【請求項３】 前記文書データ種別判別手段は、前記文書データが前記文字認識処理済み文書データである場合は、該文書データから前記未知単語抽出手段により抽出された未知単語の前記索引情報としての登録可否を指定する可否指定手段を有し、前記登録可否決定手段は、前記文書データが前記文字認識処理済み文書データである場合は、前記可否指定手段の指定に基づいて、前記未知単語抽出手段により抽出された未知単語の前記索引情報としての登録の可否を決定することを特徴とする請求項２記載の情報検索装置。
【請求項４】 前記文書データ種別判別手段は、前記文書データが文字認識処理により得られた文字コードを含んだ文字認識処理済み文書データであるか否かを判別し、前記登録可否決定手段は、前記文書データが前記文字認識処理済み文書データでない場合は、該文書データから前記未知単語抽出手段により抽出された未知単語の前記索引情報としての登録を許可することを特徴とする請求項１記載の情報検索装置。
【請求項５】 前記文書データ種別判別手段は、前記文書データが文字認識処理により得られた文字コードを含んだ文字認識処理済み文書データであるか否かを判別するものであり、さらに、前記文書データが前記文字認識処理済み文書データである場合は、それに含まれている文字コードの誤りを校正する文字校正手段を有し、前記未知単語抽出手段は、前記文字校正手段により校正された後の文書データから未知単語を抽出することを特徴とする請求項１記載の情報検索装置。
【請求項６】 前記文書データ種別判別手段は、前記文書データが画像文書データであるか否かを判別するものであり、さらに、前記文書データが画像文書データである場合は、該画像文書データから文字認識処理により文字コードを得る文字認識処理手段と、該文字認識処理手段により文字認識処理された文書データに含まれている文字コードの誤りを校正する文字校正手段とを有し、前記未知単語抽出手段は、前記文字校正手段により校正された後の文書データから未知単語を抽出することを特徴とする請求項１記載の情報検索装置。
【請求項７】 前記文字校正手段は、類似の文字パターンを有する文字同士を対応付けて記憶した文字校正辞書と文字列照合のための単語辞書とを参照し、文字認識処理された文書データに含まれている文字コードに前記文字校正辞書中の文字パターンを追加した文字候補列の中で、前記単語辞書に含まれる単語と一致する文字候補列を構成する文字に前記文字コードを変更することで、校正を行うことを特徴とする請求項５記載の情報検索装置。
【請求項８】 前記文書データ種別判別手段は、前記文書データのファイル名の拡張子及び前記文書データに予め付与された属性情報の少なくとも一方に基づき文書データの種別を判別することを特徴とする請求項１記載の情報検索装置。
【請求項９】  文書データから単語を抽出する単語抽出手段と、
前記単語抽出手段により抽出された単語を前記文書データと対応付けて、文書データ検索用の索引情報として登録する索引情報登録手段と、
前記索引情報登録手段により登録された索引情報を参照して、要求された検索条件に対応する文書データを検索する文書データ検索手段と、
文字認識処理された文書データに含まれている文字コードの誤りを校正する文字校正手段とを備え、
前記単語抽出手段は、前記文字校正手段により校正された後の文書データから単語を抽出することを特徴とする情報検索装置。
【請求項１０】 前記文字校正手段は、類似の文字パターンを有する文字同士を対応付けて記憶した文字校正辞書と文字列照合のための単語辞書とを参照し、文字認識処理された文書データに含まれている文字コードに前記文字校正辞書中の文字パターンを追加した文字候補列の中で、前記単語辞書に含まれる単語と一致する文字候補列を構成する文字に前記文字コードを変更することで、校正を行うことを特徴とする請求項９記載の情報検索装置。
【請求項１１】 文書データから抽出された単語を前記文書データと対応付けて登録した索引情報を参照して、要求された検索条件に対応する文書データを検索する情報検索方法であって、
前記文書データから未知単語を抽出する未知単語抽出工程と、
前記文書データの種別を判別する文書データ種別判別工程と、
前記文書データ種別判別工程で判別された文書データの種別に応じて、前記未知単語抽出工程で抽出された未知単語の前記索引情報としての登録の可否を決定する登録可否決定工程とを備えることを特徴とする情報検索方法。
【請求項１２】 文書データから単語を抽出する単語抽出工程と、
前記単語抽出工程により抽出された単語を前記文書データと対応付けて、文書データ検索用の索引情報として登録する索引情報登録工程と、
前記索引情報登録工程により登録された索引情報を参照して、要求された検索条件に対応する文書データを検索する文書データ検索工程と、
文字認識処理された文書データに含まれている文字コードの誤りを校正する文字校正工程とを備え、
前記単語抽出工程は、前記文字校正工程により校正された後の文書データから単語を抽出することを特徴とする情報検索方法。
【請求項１３】 請求項１１または１２に記載の情報検索方法をコンピュータに実行させるための制御プログラム。
【手続補正３】
【補正対象書類名】明細書
【補正対象項目名】０００１
【補正方法】変更
【補正の内容】
【０００１】
【発明の属する技術の分野】
本発明は、文字、画像等のマルチメディア情報を含んだ文書から所望の文書を検索する情報検索装置及び方法並びに制御プログラムに関する。
【手続補正４】
【補正対象書類名】明細書
【補正対象項目名】００１１
【補正方法】変更
【補正の内容】
【００１１】
本発明は上記従来技術の問題を解決するためになされたものであり、その第１の目的は、検索漏れ及び誤検索の少ない適切な検索を行うことができる情報検索装置及び方法並びに制御プログラムを提供することにある。
【手続補正５】
【補正対象書類名】明細書
【補正対象項目名】００１２
【補正方法】変更
【補正の内容】
【００１２】
本発明の第２の目的は、検索精度を向上させることができる情報検索装置及び方法並びに制御プログラムを提供することにある。
【手続補正６】
【補正対象書類名】明細書
【補正対象項目名】００１３
【補正方法】変更
【補正の内容】
【００１３】
【課題を解決するための手段】
上記第１の目的を達成するために本発明の請求項１の情報検索装置は、文書データから抽出された単語を前記文書データと対応付けて登録した索引情報を参照して、要求された検索条件に対応する文書データを検索する情報検索装置であって、前記文書データから未知単語を抽出する未知単語抽出手段と、前記文書データの種別を判別する文書データ種別判別手段と、前記文書データ種別判別手段により判別された文書データの種別に応じて、前記未知単語抽出手段により抽出された未知単語の前記索引情報としての登録の可否を決定する登録可否決定手段とを備えることを特徴とする。
【手続補正７】
【補正対象書類名】明細書
【補正対象項目名】００１４
【補正方法】変更
【補正の内容】
【００１４】
上記第２の目的を達成するために本発明の請求項９の情報検索装置は、文書データから単語を抽出する単語抽出手段と、前記単語抽出手段により抽出された単語を前記文書データと対応付けて、文書データ検索用の索引情報として登録する索引情報登録手段と、前記索引情報登録手段により登録された索引情報を参照して、要求された検索条件に対応する文書データを検索する文書データ検索手段と、文字認識処理された文書データに含まれている文字コードの誤りを校正する文字校正手段とを備え、前記単語抽出手段は、前記文字校正手段により校正された後の文書データから単語を抽出することを特徴とする。
上記第１の目的を達成するために本発明の請求項１１の情報検索方法は、文書データから抽出された単語を前記文書データと対応付けて登録した索引情報を参照して、要求された検索条件に対応する文書データを検索する情報検索方法であって、前記文書データから未知単語を抽出する未知単語抽出工程と、前記文書データの種別を判別する文書データ種別判別工程と、前記文書データ種別判別工程で判別された文書データの種別に応じて、前記未知単語抽出工程で抽出された未知単語の前記索引情報としての登録の可否を決定する登録可否決定工程とを備えることを特徴とする。
上記第２の目的を達成するために本発明の請求項１２の情報検索方法は、文書データから単語を抽出する単語抽出工程と、前記単語抽出工程により抽出された単語を前記文書データと対応付けて、文書データ検索用の索引情報として登録する索引情報登録工程と、前記索引情報登録工程により登録された索引情報を参照して、要求された検索条件に対応する文書データを検索する文書データ検索工程と、文字認識処理された文書データに含まれている文字コードの誤りを校正する文字校正工程とを備え、前記単語抽出工程は、前記文字校正工程により校正された後の文書データから単語を抽出することを特徴とする。
上記第１または第２の目的を達成するために本発明の請求項１３の制御プログラムは、請求項１１または１２に記載の情報検索方法をコンピュータに実行させることを特徴とする。
【手続補正８】
【補正対象書類名】明細書
【補正対象項目名】００９２
【補正方法】削除
【補正の内容】
【手続補正９】
【補正対象書類名】明細書
【補正対象項目名】００９３
【補正方法】削除
【補正の内容】
【手続補正１０】
【補正対象書類名】明細書
【補正対象項目名】００９４
【補正方法】削除
【補正の内容】
【手続補正１１】
【補正対象書類名】明細書
【補正対象項目名】００９５
【補正方法】削除
【補正の内容】
【手続補正１２】
【補正対象書類名】明細書
【補正対象項目名】００９６
【補正方法】削除
【補正の内容】
【手続補正１３】
【補正対象書類名】明細書
【補正対象項目名】００９７
【補正方法】削除
【補正の内容】
【手続補正１４】
【補正対象書類名】明細書
【補正対象項目名】００９８
【補正方法】削除
【補正の内容】
【手続補正１５】
【補正対象書類名】明細書
【補正対象項目名】００９９
【補正方法】削除
【補正の内容】
【手続補正１６】
【補正対象書類名】明細書
【補正対象項目名】０１００
【補正方法】削除
【補正の内容】
【手続補正１７】
【補正対象書類名】明細書
【補正対象項目名】０１０１
【補正方法】削除
【補正の内容】
【手続補正１８】
【補正対象書類名】明細書
【補正対象項目名】０１０２
【補正方法】削除
【補正の内容】
【手続補正１９】
【補正対象書類名】明細書
【補正対象項目名】０１０３
【補正方法】削除
【補正の内容】
【手続補正２０】
【補正対象書類名】明細書
【補正対象項目名】０１０４
【補正方法】削除
【補正の内容】
【手続補正２１】
【補正対象書類名】明細書
【補正対象項目名】０１０５
【補正方法】削除
【補正の内容】
【手続補正２２】
【補正対象書類名】明細書
【補正対象項目名】０１０６
【補正方法】削除
【補正の内容】
【手続補正２３】
【補正対象書類名】明細書
【補正対象項目名】０１０７
【補正方法】削除
【補正の内容】
【手続補正２４】
【補正対象書類名】明細書
【補正対象項目名】０１０８
【補正方法】削除
【補正の内容】
【手続補正２５】
【補正対象書類名】明細書
【補正対象項目名】０１０９
【補正方法】変更
【補正の内容】
【０１０９】
【発明の効果】
以上説明したように、本発明の請求項１、１１、１３によれば、文書の種別に応じて未知単語の索引登録の可否を決定することで、検索漏れ及び誤検索の少ない適切な検索を行うことができる。
【手続補正２６】
【補正対象書類名】明細書
【補正対象項目名】０１１０
【補正方法】変更
【補正の内容】
【０１１０】
本発明の請求項９、１２、１３によれば、校正後に単語抽出することで、検索精度を向上させることができる。